(57)【特許請求の範囲】
【請求項１】
培養中又は培養完了後の工程において、栽培容器を取り除いた露出状態の菌床を、別の容器内に上面のみを解放した状態で単独で収容し、菌床と容器間の隙間に水あるいは水溶液を満たすことにより菌床側面及び底面からきのこの発生を抑制し、菌床上部からのみきのこの発生を促すことを特徴とするしいたけ菌床栽培方法に用いる装置であって、
容器に収容菌床を固定するための弾力性を備えた突起状の支持体（２）を有する栽培容器本体（１）であることを特徴とするしいたけ菌床栽培容器。
【請求項２】
栽培容器本体（１）に、菌床と容器底部との間に水を満たすことが可能なように隙間を設けるための突起状の菌床設置台（３）を備えた請求項１記載のしいたけ菌床栽培容器。
【請求項３】
栽培容器本体（１）に、栽培容器内に水を出し入れするため、栽培容器側面底部片側もしくは両側に排水口あるいは給排水連結口（４）を備えた請求項１又は２記載のしいたけ菌床栽培容器。
【請求項４】
栽培容器本体（１）を、栽培容器本体の側面を構成するパネルをスライド式等の二重構造として高さの調節が可能な状態にした請求項１〜３のうちいずれか一項に記載のしいたけ菌床栽培容器。
【発明の詳細な説明】
【技術分野】
【０００１】
本発明は、しいたけ菌床の培養中又は培養完了後の栽培方法と、その方法実施に使用する栽培容器を特徴とする技術に関する。
【背景技術】
【０００２】
栽培袋の一部を切断して菌床の上面のみを露出させ、給水により菌床と栽培袋の間に水を溜め、菌床の上面からのみきのこを発生させる技術として、特許文献１（以下先行技術１という）が提案されている。この技術が開発されるまでは、培養が完了した菌床を栽培袋から取り出し、露出状態で栽培棚に並べて菌床全面からきのこを発生させる方法（通常栽培方法）が用いられていたが、栽培途中で菌床が乾燥し、きのこの品質低下、発生量の減少など、不具合が生じやすかった。該先行技術１によって、これら通常栽培方法での問題は解決されたが、培養で使用した栽培袋を長期間に渡って発生工程中も継続して使用するため、袋に亀裂が生じて先行技術１の目的を達成できないことがある。また、該先行技術１では、給水により菌床を入れている袋上部が広がりすぎてしまい適切な管理ができないため、この部分にバンド状のものを取り付け、袋上部を固定するなどの手間がかかる。さらに栽培後期になると菌床上面や袋と菌床間の水没していない部分にキノコバエ、ダニなどの害虫が発生しやすく、食害を引き起こす等の問題が発生する。
【０００３】
これらの問題点を解決するために、特許文献２（以下先行技術２という）において、菌床を多数収容できる発生水槽を利用した栽培方法を考案している。しかしながら、設備が大掛かりとなり、栽培コストがかかるため容易に利用することができない。
【特許文献１】特許第3087171号
【特許文献２】特開第2000-316379号
【発明の開示】
【発明が解決しようとする課題】
【０００４】
そこで本発明は、先行技術１及び２のかかる難点を解消するためになされたもので、培養中又は培養が完了した菌床を、一旦、栽培袋から取り出し、専用の栽培容器に移し替えて管理を行っていく技術を提供するものであり、その方法に直接使用するための栽培容器を提供するものである。
【課題を解決するための手段】
【０００５】
上記目的を達成するために、請求項１記載のしいたけ菌床栽培方法は、培養中又は培養完了後の工程において、栽培容器を取り除いた露出状態の菌床を、別の容器に上面のみを開放した状態で単独で収容し、菌床と容器間の隙間に水あるいは水溶液を満たすことにより菌床側面及び底面からきのこの発生を抑制し、菌床上部からのみきのこの発生を促すことを特徴とする。
【０００６】
請求項２記載のしいたけ菌床栽培容器は、培養中又は培養完了後の工程において、栽培容器を取り除いた露出状態の菌床を、別の容器内に上面のみを解放した状態で単独で収容し、菌床と容器間の隙間に水あるいは水溶液を満たすことにより菌床側面及び底面からきのこの発生を抑制し、菌床上部からのみきのこの発生を促すことを特徴とするしいたけ菌床栽培方法に用いる装置であって、容器に収容菌床を固定するための収容菌床を固定するための弾力性を備えた突起状の支持体（２）を有する栽培容器本体（１）であることを特徴とする。
【０００７】
請求項３記載のしいたけ菌床栽培容器は、栽培容器本体（１）に菌床と容器底部との間に水を満たすことが可能なように隙間を設けるための突起状の菌床設置台（３）を備えたことを特徴とする。
【０００８】
請求項４記載のしいたけ菌床栽培容器は、栽培容器本体（１）に栽培容器内に水を出し入れするため栽培容器側面底部片側もしくは両側に排水口あるいは給排水連結口（４）を備えたことを特徴とする。
【０００９】
請求項５記載のしいたけ菌床栽培容器は、栽培容器本体（１）を栽培容器本体の側面を構成するパネルをスライド式等の二重構造として高さの調節が可能な状態にしたことを特徴とする。
【発明の効果】
【００１０】
本発明は、しいたけ菌床栽培容器および該容器を用いた栽培方法は、培養中又は培養完了後の工程において、専用栽培容器に入れ替えて栽培を継続する方法であるので、袋の亀裂などによる給水不完全菌床がない。安定的に水分管理ができるので、収量が増加する。また、容易に全面浸水（菌床水没）が行えるので、害虫の窒息駆除効果があり、害虫の発生数が少ない。きのこへの害虫付着による品質低下を防ぐことができるので、実栽培での収益性が上がる。
又、支持体により菌床が水で浮き上がることがなく、且つ、個々の容器に収納されているので、大きな設備が不要で袋が避ける等の事故もない。
請求項３記載のしいたけ菌床栽培容器は、隙間を設けて菌床と容器底部とが密着して菌床底部に水の浸入が困難になるのを回避する。
請求項４記載のしいたけ菌床栽培容器は、給排水連結口（４）を用いて、複数の栽培容器本体を接続して一元管理することが可能となる。
て給排水を自動化できる。
請求項５記載のしいたけ菌床栽培容器は、パネルをスライドさせることで容器の高さを変化させ、必要に応じて一定時間、菌床上面部分を水もしくは水溶液に埋没させて菌床全体を浸水することができる。又、栽培容器側面の高さを調節することで、菌床の上面のみならず、側面上部の露出部分からのきのこの発生も可能とすることができる。
【発明を実施するための最良の形態】
【００１１】
この発明の実施の形態を、図１、図２、図３、図４、図５、図６および表１、表２に基づいて説明する。
図１および図２は本発明の１実施例を示す栽培容器の実施形態の斜視図および平面図を示す。縦１４ｃｍ×横２２ｃｍ×高さ７〜２０ｃｍ内寸のアクリル製の容器本体で、上部四隅に弾力性のあるプラスチック製の菌床固定用支持体（２）が斜め４５度の角度で取り付けられ、さらに底部には高さ１ｃｍの菌床設置台（３）が６ｃｍの間隔で２本取り付けられて構成される。上記中、本体、菌床固定用支持体、菌床設置台の材質はそれぞれ目的を達成することが可能なものであれば、記載の材質にとらわれない。また、菌床固定用支持体は、四隅以外の部分に設置して目的を達成することも可能である。
該角度付き菌床固定用支持体（２）は、栽培容器本体（１）に挿入する菌床が吸水により、浮上しないように抑制する機能を有している。
【００１２】
図３は給排水連結口付き栽培容器の実施形態の斜視図を示し、図５は個々の栽培容器本体を連結した栽培状況の斜視図を示す。図３は、図１によって示された栽培容器の底部側面片側あるいは両側に給排水連結口（４）を取り付けた構成を形成している。外形１３ｍｍのパイプを取り付け、ここにホースを連結して栽培容器本体内に水あるいは水溶液を給排水する。また、栽培容器本体側面の両側に給排水口を取り付けることにより、図５に示すように個々の栽培容器本体を連結することが可能となる。
給排水連結口（４）を取り付けた構成は、栽培容器本体（１）を個別に給排水することなく、一度に全栽培容器に給排水が可能であり、その結果、均一な品質を保持した菌床を形成することを可能とする。
【実施例１】
【００１３】
上記栽培容器（高さ２０ｃｍ）を使用して、きのこを発生させる方法を図４および図５に基づいて説明する。栽培容器および栽培方法に勘案し、該栽培条件で先行技術１と比較した。菌床当たりの発生数量と害虫捕捉数の結果を表１に示す。
【００１４】
【表１】
0004727150.tif 000002
【００１５】
表１は、種菌として北研６００号を使用した。常法によって殺菌、冷却、接種し、２０℃±１℃で１００日間、さらに２５℃で１０１日目から１０５日目まで培養した角形菌床（重量２７００ｇ、横２０ｃｍ×縦１２ｃｍ×高さ１７ｃｍ）を袋から取り出して露出状態とし、上記構成栽培容器に１個配置し、菌床固定用支持体（２）で固定した。散水もしくは給排水連結口（４）より水を給水し、菌床と栽培容器本体との隙間に満たした。通常は、菌床上面が水に埋没しない程度に給水するが、必要に応じて菌床上面が水没するように調節した。栽培容器に菌床を配置した後は、毎日散水を行い、培養完了後の温度管理は、朝晩は１３℃、日中は２０℃に室温を調節した。きのこは菌床上面からのみ発生させた。試験空間での害虫捕捉数の検討は、市販の粘着シート（棚かけ虫捕り粘着シート）を用いて行った。
その結果、本発明方法に準じた方が、しいたけ発生個数、発生重量が共に多く、しいたけ１個当たりの重量が対照例で２４ｇ、本発明で２６ｇと１．１倍となった。また、害虫捕捉数においては本発明の方が大幅に少なく、品質向上に寄与した。
【実施例２】
【００１６】
次に、上記栽培容器（高さ７ｃｍ）を使用してきのこを発生させる方法を図６に基づいて説明する。栽培容器および栽培方法に勘案し、該栽培条件で先行技術１と比較した。菌床当たりの発生数量と害虫捕捉数の結果を表２に示す。
【００１７】
【表２】
0004727150.tif 000003
【００１８】
表２は、上記の表1同様、種菌として北研６００号を使用した。常法によって殺菌、冷却、接種し、２０℃±１℃で１００日間、さらに２５℃で１０１日目から１０５日目まで培養した角形菌床（重量２７００ｇ、横２０ｃｍ×縦１２ｃｍ×高さ１７ｃｍ）を袋から取り出して露出状態とし、上記構成栽培容器に１個配置し、菌床固定用支持体（２）で菌床の側面を固定した。散水もしくは給排水連結口（４）より水を給水し、菌床と栽培容器本体との隙間に満たした。栽培容器に菌床を配置した後は、毎日散水を１〜３階程度行い、培養完了後の温度管理は、朝晩は１３℃、日中は２０℃に室温を調節した。きのこは菌床上面及び側面から発生させた。
その結果、本発明方法に準じた方が、しいたけ発生個数、発生重量が共に多くなった。
【産業上の利用可能性】
【００１９】
本発明は、培養中又は培養完了後の工程において、袋の亀裂などによる給水不完全菌床がなく、安定的に水分管理ができ、また、害虫の窒息駆除効果があり、きのこへの害虫付着による品質低下を防ぎ、実栽培での収益性に利用できるしいたけ菌床の栽培方法および容器に利用可能である。
【図面の簡単な説明】
【００２０】
【図１】本発明の１実施例を示す栽培容器の実施形態の斜視図
【図２】本発明に係る上面栽培での実施形態の平面図
【図３】給排水連結口付き栽培容器の実施形態の斜視図
【図４】本発明に係る上面栽培での実施形態の斜視図
【図５】個々の栽培容器本体を連結した栽培状況の斜視図
【図６】本発明に係る上面栽培での実施形態の斜視図
【符号の説明】
【００２１】
１      栽培容器本体
２      菌床固定用支持体
３      菌床設置台
４      給排水連結口
５      しいたけ
【図１】
0004727150.tif 000004
【図２】
0004727150.tif 000005
【図３】
0004727150.tif 000006
【図４】
0004727150.tif 000007
【図５】
0004727150.tif 000008
【図６】
0004727150.tif 000009